(57)【要約】【課題】キャラメルシュリンク包装体を容易に開裂できる開封補助ラベルに関するものである。【解決手段】開封補助ラベルをその中央部より粘着面と非粘着面に二分し、非粘着面を把持用の耳部として構成し、該開封補助ラベルの粘着面をシュリンク包装体の破断誘導部と開封用帯の開封口に重ねて貼り、開封補助ラベルの耳部を剥がす事で破断誘導部の開裂と共にシュリンク包装体開封用帯を粘着面に接着させて引っぱる事で開裂するようにしたキャラメルシュリンク包装体の開封補助ラベル。【選択図】図７
2011173595.tif 000002
【特許請求の範囲】
【請求項１】
キャラメルシュリンクフィルムで包装されたシュリンク包装体に、開封口と破断誘導部の切れ込み部分の上に開封補助ラベルを貼り付けるのに、該開封補助ラベルをその中央部より二分する形で粘着面と非粘着面を設け、この非粘着面を開封用取っ手部分とする耳部を備えたもので構成し、粘着面の３分の２を側面部に残り３分の１を正面部に回り込む様に貼り付ける事を特徴としたキャラメルシュリンク包装体の開封補助ラベル。
【請求項２】
開封補助ラベルの外郭形状を長方形、リボン型、蝶型、ハート型、円型、矢印型、動物のシルエット型などの任意形状に択一的に選択構成したことを特徴とする請求項１記載のキャラメルシュリンク包装体の開封補助ラベル。
【請求項３】
開封補助ラベルの粘着面を超強力な粘着剤をラベルの約半分に塗工し、残り半分を非粘着面とし取っ手機能を持たせ、更に取っ手部分に印刷でラベルの操作説明文や図柄、或いは商品の宣伝等を可能とした請求項１又は請求項２に記載の部分糊のキャラメルシュリンク包装体の開封補助ラベル。
【請求項４】
ラベル操作用の説明を文字や矢印、図柄などを印刷表記してなることを特徴とする請求項３記載のキャラメルシュリンク包装体の開封補助ラベル。
【発明の詳細な説明】
【技術分野】
【０００１】
本発明は、キャラメルシュリンク包装体の開封用帯取っ手部分に貼り付けた開封補助ラベルを用いて容易に開裂させることができるキャラメルシュリンク包装体の開封補助ラベルに関するものである。
【背景技術】
【０００２】
従来見られるシュリンク包装された製品の開封方法は、１）ペットボトル飲料に代表されるような、フィルム接着部分の両側に２本の破断誘導部（ミシン目や切れ込み）をいれ、その破断誘導部のセンターより破断誘導部に沿って切り開く方法と、２）キャラメル箱の様に帯状の別素材を開封用部材として同時包装しこの開封用部材の帯取っ手部分を引っ張る事で開封する方法と、３）カップ麺の底に見られるように部分的にＶの字に焼きこみを入れて、切れ易くし、その上に開封シールを貼る構成にしておき、この開封シールを剥がすことで切り口を広げる方法がある。この３タイプが現状での代表的な開封方法である。これらについては例えば、特許文献１の「シュリンク包装体」、特許文献２の「シュリンク包装体およびその包装装置」、特許文献３の「開封用ラベル、及び開封用ラベル付包装体の製造方法」に示されるようなものが提案されている。
【先行技術文献】
【特許文献】
【０００３】
【特許文献１】特開２００３−２３７７４１号公報
【特許文献２】特開２００３−３２７２７１号公報
【特許文献３】特開２００４−３１５０１６号公報
【発明の概要】
【発明が解決しようとする課題】
【０００４】
これらに例示する従来の開封方法では、シュリンク包装部分を１００％開封する事はなかなかでき無いのが現状である。特に高齢者や目の不自由な方にはシュリンク包装の開封場所を探すのにも非常に解りづらい上に、仮に見つけても手先が器用でないと開封口の突起すら掴むことが困難である。特にキャラメルシュリンク包装された製品において厚みの薄い物（１０ミリ以下）では開封用突起部分を形成する事が困難である。薄い製品の代表的な物ではＣＤ・ＤＶＤ製品などの薄物包装が上げられる。これらの製品には突起部分がなく、目が良くて手先が健康な健常者でも開封が困難な場合がある。そのために、現状ではカッターや先の尖ったペンやはさみの先端部分でシュリンク包装の一部に穿設して孔を開け、そこから開くことが当たり前のように行われている。そのような場合に近くに孔を開ける為の外的工具がない場合、困ってしまった体験は誰でも一度や二度は経験していると思われる。
【０００５】
現在の商品流通実情において、安全面や衛生面の観点よりシュリンク包装は絶対に必要な包装手段として多くの商品に使用されている現状にあるのだが、開封に関しては完璧な解決方法が確立されていない。本出願人が提案する今回の発明はキャラメルシュリンク包装の開封箇所（帯の突起部分もしくは帯に始まり部分）に強力な部分粘着ラベルの粘着部分を開封箇所に重ねて貼り、ラベルの非粘着部分で構成される耳部を手の指でつまみ、開封方向に剥がす事で、帯の突起部及びュリンクフィルムの破断誘導部の切れ込み部分を同時に開裂することができて、その結果開閉用の帯の突起部分を指で掴んだと同じ効果を有し、キャラメルシュリンク包装本来の持つ開封部分より簡単に開く事が出来る画期的な補助機能ラベルである。本発明は発見しづらい開封部分を簡単に認識させ、尚且つ開封の補助を行う事ができる。
【０００６】
尚、単なる開封補助ラベルにとどまらず、ラベルに景品応募用の印刷を施す事で応募シールの役目を持たす事が可能である。更に商品のアピールラベルとしてのＰＯＰラベルの二つの機能を持たせ陳列棚において他の商品との差別化を高める事が可能である。
尚、ＰＯＰラベルとはＰＯＩＮＴＰ−ＯＦ−ＰＵＲＣＨＡＳＥラベルの略称であり、一般的にＰＯＰラベルはポップ広告ラベルと呼ばれている。商品のアピールラベル。陳列棚において他の商品との差別化を高めるラベル。商品より飛び出したラベル。ディスプレイ効果アップ用ラベルとも言われているものである。
本発明はキャラメルシュリンク包装体の開封補助ラベルとＰＯＰラベル、景品応募ラベル等の多機能を合わせ持つラベルともなる。
【課題を解決するための手段】
【０００７】
本発明は、前述の課題解決のために、第一にキャラメルシュリンクフィルムで包装されたシュリンク包装体の帯の突起部分及び帯の開始部分とシュリンク包装体の破断誘導部の切れ込み部分の上に貼り付ける粘着部分と非粘着面とした把持用の耳部を備えたものに構成し、部分粘着を特徴とするシュリンク包装体の開封補助ラベルの構成にされている。
そして、第二に、開封補助ラベルの外郭形状を長方形、トラック型、リボン型、蝶型、矢印型、動物型などの任意形状に択一的に選択構成したことを特徴とするものである。
【発明の効果】
【０００８】
上記の構成によりラベルの耳部を持ってラベルを剥がすことで、ラベルの粘着部分とキャラメルシュリンクフィルムの帯部分の突起及び周辺のシュリンクフィルムの破断誘導を同時にシュリンクフィルムより破断し、破断部分と帯の先端のみを粘着剤に接着させる事で開裂し更に継続的に帯を引き出すことができて、その結果、キャラメルシュリンク包装された商品をその本来の目的である帯による開封を確実に出来る機能性の良い機能ラベルを提供できる効果を有する。
この場合に、単にラベルを剥がすよりは帯方向に沿ってラベルの耳部を引っ張る様に剥がす事で、より確実にキャラメルシュリンクフィルムが帯により開裂することが促進される。つまり開封補助ラベルと帯の先端部分が一体化した事と等しく、帯の先端部分をラベルにより大きくしたと同じ効果を有する。
【０００９】
また単なる開封補助機能ラベルにとどまらず視認性に優れた存在性、広告性などの多機能を持ち、このラベルを貼ることで、今まではキャラメルシュリンク包装された商品を開封する事ができずに困っていた高齢者や障害者にも簡単に開封場所を視認して認識することが出来、さらに掴み辛かった帯の先端部に開封補助ラベルを貼る事で先端部分を拡大したと同じ効果が発揮出来て、掴みやすく簡単に開封することが出来る。また付加価値として取っ手部分の耳部を有効利用する事で、キャラメルシュリンク包装の製品を販売するメーカーには広告性に優れたＰＯＰラベルやキャンペーンの応募ラベル等の宣伝効果をも得る事が出来る多目的ラベルとなる効果を有するものである。
【図面の簡単な説明】
【００１０】
【図１】ラベルの正面図である。
【図２】ラベルの断面図である。
【図３】ラベルの形状サンプルを表した図である。
【図４】ＣＤ用シュリンク包装体にラベルの貼り付け概略説明図である。
【図５】ＣＤ用シュリンク包装体の開封方法の手順の説明図である。
【図６】タバコケースのシュリンク包装体にラベルの貼り付け概略説明図である。
【図７】タバコケースのシュリンク包装体の開封方法の手順の説明図である。
【発明を実施するための形態】
【００１１】
以下、実施例に関する図面に基づいて本発明を詳細に説明する。
図１に示すように、任意のサイズ（縦長さ２０ミリ〜３０ミリ×横長さ２５ミリ〜３５ミリ程度）に構成されたラベルＡの中央に位置するラベルセンターより対称に糊のない非粘着面Ｂと糊を付けた粘着面Ｃを形成する部分糊ラベルである。この粘着面Ｃの粘着力は通常のラベルより超強力な粘着力を有する強力タイプで構成されている。非粘着面Ｂはキャラメルシュリンク包装体Ｈの帯開封口に貼り付けた時に、手で摘んで捲りながら引き起こすことができる耳部ｂとなる。
図２は断面でのラベル構造の拡大説明図である。ラベルは印刷層Ｆ・表面基材Ｅ・粘着層Ｃ・セパ（剥離紙）Ｄで構成される。セパ（剥離紙）Ｄはセパ上層部（シリコン層面）Ｄ−１とセパ下層面（ベース基材層）Ｄ−２の２層構造で構成されている。粘着層Ｃはラベルの約半分の面積を有し、残り半分は非粘着面Ｂとなるように工夫された部分粘着ラベルの構造である。非粘着部分Ｂが開封封時には手で摘んで捲りながら引き起こすことができる取っ手機能の耳部ｂとなる。このように、前記ラベルはその中央部Ｘより二分する形で粘着面Ｃと非粘着面Ｂを設けてあり、この非粘着面Ｃを開封用取っ手部分とする耳部ｂとされているものである。
【００１２】
図３は開封補助ラベルの外郭形状を多種多様にして、長方形、リボン型、蝶型、ハート型、円型、矢印型、動物のシルエット型などの任意形状に択一的に選択構成したものを簡単に表したサンプル図である。このようにラベルは任意形状に多種多様に設定できるのでラベル形状に制限はない。ただし粘着面は１０ミリ〜１５ミリ×１０ミリ〜１５ミリ程度に抑える必要がある。これはシュリンク包装体Ｈに対して密着が良くなり過ぎ、ラベルに開封用帯Ｉの帯開封口Ｉ−１とシュリンク包装体Ｈの破断誘導部をのみを接着させ、この部分のみをシュリンク包装体より破断し開封の補助をする本来の目的を妨げる事になり、ラベル自体が剥がし難い物になってしまう。逆に非粘着面Ｂには大きさと形状には制限はない。ただし最低限の大きさとして指で摘めるサイズは確保する必要がある。非粘着面ＢにＰＯＰ機能を持たせる為に花型や動物型や円やハート型等の組み合わせは全く形状もサイズも自由である。これらを顧客の要求、市場ニーズに応じて任意形状に択一的に選択構成して提供するものであり、これらの形状は自由に設定出来、特に形状が限定されないものである。
そして、この取っ手部分に印刷でラベルの操作説明文や図柄、或いは商品の宣伝等を可能とされているものである。
【００１３】
図４に説明するのは実際にＣＤケースのキャラメルシュリンク包装体にラベルを貼り付ける場合の貼り付け方法の説明図である。従来から設けてある帯開封口Ｉ−１と破断誘導部（シュリンク開封用切れ込み）Ｊは側面が８ミリ程度の範囲にある。本発明に係るラベルＡの粘着面Ｃを必ず帯開封口Ｉ−１と破断誘導部Ｊの上に跨って渡橋して貼る必要がある。貼り終えて余ったラベルの残余部分はＣＤケースＧの前面に折曲げて貼り付ける。この場合折曲げた部分に粘着面Ｃの一部が必ず回り込む様に貼る必要がある。そして、粘着面の３分の２を側面部に残り３分の１を正面部に回り込む様に貼り付けることが肝心である。粘着剤Ｃの一部がＣＤケースＧに回り込まないとラベルはＣＤケースＧの側面だけに貼り付いた状態になり、梱包中または輸送中或いは店頭でラベルＡのみが剥がれてしまう。折曲げる事で耳部（取っ手部分）ｂはＣＤケースＧの正面に回り込み梱包中には邪魔にならない。また店頭ではラベルＡが正面に出る為、帯開封口Ｉ−１が認識しやすい利点が生じることになる。このようにラベルの残余部分が正面に出るからＰＯＰ機能を持たせる事が可能となる。
図５はＣＤケースのキャラメルシュリンク包装の開封方法の説明図である。耳部（取っ手部分）ｂを指で摘み捲りながらラベルＡを剥がす事により、破断誘導部Ｊよりシュリンク包装体Ｈが裂け帯開封口Ｉ−１ともにラベルＡの粘着面Ｃに接着する。そのままラベルＡを引けば開封用帯Ｉがシュリンク包装体Ｈを引き裂きながら開封出来る。
【００１４】
図６はタバコケースのキャラメルシュリンク包装体へのラベルの貼り付ける場合の貼り付け方法の説明図である。タバコケースＫのキャラメルシュリンク包装体ＨはＣＤケースＧと比較して側面の厚みが厚い（２０ミリ〜２２ミリ程度）為に、一般的に爪などで引き起こすことのできる山形状の開封用の開封口突起部Ｌが形成されている。この開封口突起部Ｌの延長線上に破断誘導部Ｊが形成されており、また突起部先端に帯開封口Ｉ−１を有する。通常はこの開封用の開封口突起部Ｌを爪で起こしたり指で摘み引っぱる事で開封ができる構造であるのでＣＤケースＧのシュリンク包装体Ｈの開封より簡単である。ただしこれは健常者に限定される事で、老人や視力の悪い方や指先が不自由な方などの弱者にとってはやはり掴み難い。そのためＣＤケース同様にラベルＡを貼る事で、開封口突起部Ｌをより分かりやすく更に摘みやすく出来る。貼り付け場所はケース側面側の必ず開封口突起部Ｌと帯開封口Ｉ−１と破断誘導部Ｊの上にラベルＡの粘着面Ｃを貼る必要がある。また突起部の側面より飛び出した先端部分をラベルＡの粘着面Ｃに貼り付けケース正面に折曲げて貼り付ける。この場合粘着面Ｃの約３分の２が側面に残り３分の１が正面側に回り込む様にしてはるのが理想的な貼り方である。
図７はタバコケースのキャラメルシュリンク包装の開封方法の説明図である。耳部（取っ手部分）ｂを指で摘みラベルＡを剥がす事により、破断誘導部Ｊよりシュリンク包装体Ｈが裂け帯開封口Ｉ−１ともにラベルＡの粘着面Ｃに接着する。そのままラベルＡを引けば開封用帯Ｉがシュリンク包装体Ｈを引き裂きながら開封出来る。
【産業上の利用可能性】
【００１５】
本発明のキャラメルシュリンク包装体の開封補助ラベルは、シュリンク包装体内部に組み込まれている帯状のフィルムの開封口を指で摘み引っぱる事で開封できる機能性シュリンク包装に応用出来るものである。開封補助ラベルとＰＯＰラベルの二つの機能を合わせて持たせる事も可能なラベル多目的ラベルでもある。開封口を見つけ易く、開く事も簡単で弱者（老人や障害のある方）に優しいユニバーサルデザインラベルである。
【符号の説明】
【００１６】
Ａ  ラベル
Ｂ  非粘着面
ｂ  耳部（取っ手部）
Ｃ  粘着面
Ｄ  セパ（剥離紙）
Ｄ−１  セパ上層面（シリコン層面）
Ｄ−２  セパ下層面（ベース基材層）
Ｅ  表面基材
Ｆ  印刷層また印刷面
Ｇ  ＣＤケース
Ｇ−１  ＣＤ本体
Ｈ  シュリンク包装体（キャラメルシュリンク包装体）
Ｉ  開封用帯
Ｉ−１  帯開封口
Ｊ  破断誘導部（シュリンク開封用切れ込み）
Ｋ  タバコケース
Ｌ  開封口突起部
Ｘ  非粘着面と粘着面の境界部
【図１】
2011173595.tif 000003
【図２】
2011173595.tif 000004
【図３】
2011173595.tif 000005
【図４】
2011173595.tif 000006
【図５】
2011173595.tif 000007
【図６】
2011173595.tif 000008
【図７】
2011173595.tif 000009